(57)【要約】【課題】各利用者が相手に画像を見せたい場合に、相手に見えやすいように自動的に画像の天地を制御することができる画像表示制御テーブルを提供する。【解決手段】  まず、上述のように、画像の一覧表示（ステップＳ１０）から各利用者が操作したい画像を確定する（ステップＳ１２）。すると、ステップＳ１２で確定された画像のリスト（表示画像リスト）が生成され（ステップＳ１４）、各画像が自動的にレイアウトされて、各画像の表示位置の座標が確定される（ステップＳ１６）。次いでステップＳ１８に進み、ステップＳ１６の自動レイアウトに基づいて、専有領域３０に画像が表示される。そして、利用者が表示画像を移動させると（ステップＳ２０）、移動方向や専有領域の境界との位置関係に基づいて、移動された画像の天地が変更される（ステップＳ２２）。【選択図】      図６
2005346353.tif 000002
【特許請求の範囲】
【請求項１】
複数の利用者が同時に利用可能なテーブルの表面に設けられ、各利用者の画像を表示する画像表示手段と、
前記画像表示手段に表示された画像を各利用者が操作するための複数の操作手段と、
前記操作手段により前記画像表示手段上に表示された画像を移動した場合に前記画像の移動方向を検知する移動方向検知手段と、
各操作手段の操作入力に基づいてその操作手段に対応して割り当てられた表示領域を使用して画像を操作する制御手段とを備え、
前記制御手段は、前記画像表示手段上に表示された画像が移動する際に、前記画像の移動方向の利用者が見やすいように前記画像の天地を変化させることを特徴とする画像表示制御テーブル。
【請求項２】
前記利用者間のグループ情報を登録するグループ情報登録手段を更に備え、
前記制御手段は、前記画像表示手段上に表示された画像が移動する際に、前記画像の移動先の表示領域の利用者が前記画像の移動を行う利用者と同一グループに属する場合に、前記画像の天地を変化させることを特徴とする請求項１記載の画像表示制御テーブル。
【請求項３】
複数の利用者が同時に利用可能なテーブルの表面に設けられ、各利用者の画像を表示する、各利用者ごとに割り当てられた表示領域を有する画像表示手段と、
前記画像表示手段に表示された画像を各利用者が操作するための操作手段と、
各操作手段の操作入力に基づいてその操作手段に対応して割り当てられた表示領域を使用して画像を操作する制御手段とを備え、
前記制御手段は、前記画像表示手段上に表示された画像が移動する際に、前記画像が前記表示領域の境界を越えて移動する場合に、前記画像の移動先の表示領域の利用者が見やすいように前記画像の天地を変更することを特徴とする画像表示制御テーブル。
【請求項４】
前記利用者の着席を検知する利用者検知手段を更に備え、
前記制御手段は、前記画像表示手段上に表示された画像が移動する際に、前記画像の移動先に利用者が着席している場合に、前記画像の天地を変化させることを特徴とする請求項１から３のいずれか１項記載の画像表示制御テーブル。
【請求項５】
利用者の操作入力に応じて画像表示手段に表示された画像の移動を行うステップと、
前記画像の移動方向を検知するステップと、
前記画像の移動方向の利用者が見やすいように前記画像の天地を変化させるステップと、
を備えることを特徴とする画像の天地制御方法。
【請求項６】
複数の利用者に割り当てられ、各利用者の画像を表示する表示領域を有する画像表示手段において、前記利用者の操作入力に応じて表示された画像の移動を行うステップと、
前記画像が前記表示領域の境界を越えたことを検知するステップと、
前記画像の移動先の表示領域の利用者が見やすいように前記画像の天地を変化させるステップと、
を備えることを特徴とする画像の天地制御方法。
【請求項７】
画像表示手段に画像を表示させる機能と、
利用者の操作入力に応じて前記画像表示手段における前記画像の表示位置を移動させる機能と、
前記画像の移動方向を検知する機能と、
前記画像の移動方向の利用者が見やすいように前記画像の天地を変化させる機能と、
をコンピュータに実現させることを特徴とする画像の天地制御プログラム。
【請求項８】
複数の利用者に割り当てられ、各利用者の画像を表示する表示領域を有する画像表示手段に画像を表示させる機能と、
前記利用者の操作入力に応じて前記画像表示手段における前記画像の表示位置を移動させる機能と、
前記画像が前記表示領域の境界を越えたことを検知する機能と、
前記画像の移動先の表示領域の利用者が見やすいように前記画像の天地を変化させる機能と、
をコンピュータに実現させることを特徴とする画像の天地制御プログラム。
【発明の詳細な説明】
【技術分野】
【０００１】
本発明は画像表示制御テーブルに係り、特に複数の利用者が入力した画像を表示及び操作することができる画像表示制御テーブルに関する。
【背景技術】
【０００２】
近年、利用者が持参したメディアカードやデジタルカメラ等の記憶媒体から写真等の画像データを読み取り、画像を加工して印刷する装置が普及している。
【０００３】
特許文献１には、喫茶店やレストラン等において、利用者が持参した媒体から画像データを読み取り、画像を加工してプリンタに出力する情報端末テーブルが開示されている。特許文献１に開示された情報端末テーブルには、データの読み取りや画像の加工、印刷等の時間のかかる処理でも着座した姿勢で楽に行うことができるという利点がある。
【０００４】
上記特許文献１に係る情報端末テーブルにおいては、１つのテーブルをグループで利用することで、画像の表示や加工、印刷を楽しむことができる。このような場合には、テーブル上の画像を表示する領域はできるだけ大きく、グループ全員で画像を自由に操作できるほうが都合がよい。
【特許文献１】特開２００２−２３６９７２号公報
【発明の開示】
【発明が解決しようとする課題】
【０００５】
上記特許文献１に係る情報端末テーブルにおいては、タッチパネルを操作することにより画像の天地を任意の方向に変更することができるようになっている。しかしながら、上記特許文献１に開示された情報端末テーブルは、画像の天地を手動で変更するものであり、本発明とは構成を異にする。
【０００６】
本発明はこのような事情に鑑みてなされたもので、各利用者が相手に画像を見せたい場合に、相手に見えやすいように自動的に画像の天地を制御することができる画像表示制御テーブル、画像の天地制御方法及び画像の天地制御プログラムを提供することを目的とする。
【課題を解決するための手段】
【０００７】
上記目的を達成するために請求項１に係る画像表示制御テーブルは、複数の利用者が同時に利用可能なテーブルの表面に設けられ、各利用者の画像を表示する画像表示手段と、前記画像表示手段に表示された画像を各利用者が操作するための複数の操作手段と、前記操作手段により前記画像表示手段上に表示された画像を移動した場合に前記画像の移動方向を検知する移動方向検知手段と、各操作手段の操作入力に基づいてその操作手段に対応して割り当てられた表示領域を使用して画像を操作する制御手段とを備え、前記制御手段は、前記画像表示手段上に表示された画像が移動する際に、前記画像の移動方向の利用者が見やすいように前記画像の天地を変化させることを特徴とする。
【０００８】
請求項２に示すように請求項１に係る画像表示制御テーブルにおいて、前記利用者間のグループ情報を登録するグループ情報登録手段を更に備え、前記制御手段は、前記画像表示手段上に表示された画像が移動する際に、前記画像の移動先の表示領域の利用者が前記画像の移動を行う利用者と同一グループに属する場合に、前記画像の天地を変化させることを特徴とする。
【０００９】
請求項３に係る画像表示制御テーブルは、複数の利用者が同時に利用可能なテーブルの表面に設けられ、各利用者の画像を表示する、各利用者ごとに割り当てられた表示領域を有する画像表示手段と、前記画像表示手段に表示された画像を各利用者が操作するための操作手段と、各操作手段の操作入力に基づいてその操作手段に対応して割り当てられた表示領域を使用して画像を操作する制御手段とを備え、前記制御手段は、前記画像表示手段上に表示された画像が移動する際に、前記画像が前記表示領域の境界を越えて移動する場合に、前記画像の移動先の表示領域の利用者が見やすいように前記画像の天地を変更することを特徴とする。
【００１０】
請求項１から３に係る画像表示制御テーブルによれば、画像の移動に伴って画像の天地が自動的に変更されるので、グループで画像の表示を見て楽しむことができる。
【００１１】
請求項４に示すように請求項１から３に係る画像表示制御テーブルにおいて、前記利用者の着席を検知する利用者検知手段を更に備え、前記制御手段は、前記画像表示手段上に表示された画像が移動する際に、前記画像の移動先に利用者が着席している場合に、前記画像の天地を変化させることを特徴とする。
【００１２】
請求項２及び４に係る画像表示制御テーブルによれば、上記した効果に加え、空席や他人に画像を向けるのを防ぐことができる。
【００１３】
請求項５に係る画像の天地制御方法は、利用者の操作入力に応じて画像表示手段に表示された画像の移動を行うステップと、前記画像の移動方向を検知するステップと、前記画像の移動方向の利用者が見やすいように前記画像の天地を変化させるステップと、を備えることを特徴とする。
【００１４】
また、請求項６に係る画像の天地制御方法は、複数の利用者に割り当てられ、各利用者の画像を表示する表示領域を有する画像表示手段において、前記利用者の操作入力に応じて表示された画像の移動を行うステップと、前記画像が前記表示領域の境界を越えたことを検知するステップと、前記画像の移動先の表示領域の利用者が見やすいように前記画像の天地を変化させるステップと、を備えることを特徴とする。
【００１５】
請求項７に係る画像の天地制御プログラムは、画像表示手段に画像を表示させる機能と、利用者の操作入力に応じて前記画像表示手段における前記画像の表示位置を移動させる機能と、前記画像の移動方向を検知する機能と、前記画像の移動方向の利用者が見やすいように前記画像の天地を変化させる機能と、をコンピュータに実現させることを特徴とする。
【００１６】
また、請求項８に係る画像の天地制御プログラムは、複数の利用者に割り当てられ、各利用者の画像を表示する表示領域を有する画像表示手段に画像を表示させる機能と、前記利用者の操作入力に応じて前記画像表示手段における前記画像の表示位置を移動させる機能と、前記画像が前記表示領域の境界を越えたことを検知する機能と、前記画像の移動先の表示領域の利用者が見やすいように前記画像の天地を変化させる機能と、をコンピュータに実現させることを特徴とする。
【発明の効果】
【００１７】
本発明によれば、グループで画像表示制御テーブルを利用する際に、グループで画像の表示を見て楽しむことができる。
【発明を実施するための最良の形態】
【００１８】
以下添付図面に従って本発明に係る画像表示制御テーブル、画像の天地制御方法及び画像の天地制御プログラムの好ましい実施の形態について説明する。まず、本発明の画像表示制御テーブルを含む画像表示制御システムについて説明する。
【００１９】
図１は、画像表示制御システムを示すブロック図である。画像表示制御システム１０は、喫茶店やレストラン等の店舗に設置されるもので、画像表示制御テーブル１２と、プリンタ１４と、店員用の入出力装置や店内カメラ、ＰＯＳレジ等を含む店内システム１６と、システム制御や画像処理に係るプログラムやテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００２０】
図２は、本発明の一実施形態に係る画像表示制御テーブルを示す斜視図である。図２に示すように、本実施形態の画像表示制御テーブル１２は円卓であり、表面に画像を表示する表示部３０が設けられている。また、画像表示制御テーブル１２の図における右上には、立面ディスプレイ３２が設けられている。
【００２１】
表示部３０及び立面ディスプレイ３６は、例えば、有機ＥＬ（electro-luminescence）や液晶ディスプレイ（ＬＣＤ）、電子ペーパー等である。表示部３０はタッチパネルとなっている。表示部３０における指等によるタッチ操作の検出方法としては、アナログ容量結合方式や超音波方式、抵抗膜方式、赤外線方式等を用いることができる。
【００２２】
ここで、本実施形態においては、表示部３０における画像の操作手段（図４における操作部３８）として表示部３０の全面にタッチパネルを設けたが、本発明はこれに限定されるものではなく、例えば、マウスやタッチパッド等のポインティングデバイスを用いてもよい。
【００２３】
図２に示すように、表示部３０の上面には表示領域Ａ、Ｂ及びＸが設けられている。領域Ａ及びＢは画像表示制御テーブル１２の利用者が各々の画像データの表示や操作を行う領域であり、共有領域Ｘはあらかじめすべての各専有領域との間で画像データの移動又はコピーが許可（共有許可）されている領域である。なお、画像表示制御テーブル１２をグループで利用する場合に、共有領域Ｘに移動された画像を立面ディスプレイ３２に表示させて利用者全員が見ることができるようにしてもよい。
【００２４】
表示部３０の下面には専有領域ごとに各利用者が画像等の入出力を行う入出力部３４が１つずつ取り付けられており、表示部３０の側面には専有領域ごとにダイヤル３６が取り付けられている。ダイヤル３６については後述する。
【００２５】
図３は、入出力部３４を拡大して示す斜視図である。入出力部３４は、記録メディアに画像データを入出力するメディアリーダ／ライタ６０と、音声入出力用のジャック６２とを備えている。メディアリーダ／ライタ６０は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図３においては、メディアリーダ／ライタ６０は１つの記録メディア挿入口として簡略化されている。
【００２６】
また、入出力部３４は、有線通信やＩｒＤＡ（Infrared Data Association）やBluetooth等の無線通信に対応しており、デジタルカメラやカメラ付き携帯電話等との間で直接画像データを送受信することもできる。
【００２７】
図４は、本発明の一実施形態に係る画像表示制御テーブルの構成を示すブロック図である。同図において、中央処理装置（ＣＰＵ）４４は、画像表示制御テーブル１２を統括制御する制御部である。ＣＰＵ４４は、タッチパネル等からのタッチ操作入力に基づいて画像表示制御テーブル１２の動作を制御する。なお、ＣＰＵ４４はサーバ１８が兼ねていてもよい。
【００２８】
メモリ４６には、ＣＰＵ４４が処理するプログラム及び制御に必要な各種データ等が格納されるＲＯＭや、入出力部３４を介して入力した画像データが格納される記憶領域及びＣＰＵ４４が各種の演算処理等を行う作業用領域となるＳＤＲＡＭ（Synchronous Dynamic RAM）等が含まれている。
【００２９】
通信Ｉ／Ｆ４８は、ＬＡＮに接続するための機器で、所定のプロトコルにしたがって各種データの送受信を行う。
【００３０】
ＩＤカードリーダ５０は、利用者のＩＤカードを読み込むための装置である。本実施形態の画像表示制御システム１０の利用者にはＩＤカードが交付され、このＩＤカードを画像表示制御テーブル１２に設置されたＩＤカードリーダ５０に通すことでシステムの利用が可能となる。
【００３１】
以下、本実施形態に係る画像表示制御テーブル１２の利用方法について説明する。まず、利用者が来店して画像表示制御テーブル１２のＩＤカードリーダ５０に自分のＩＤカードを挿入すると、画像表示制御テーブル１２の利用が開始される。
【００３２】
ここで、利用者がグループで来店した場合（例えば、ＡさんとＢさんが一緒に来店した場合）には、ＡさんとＢさんが着席するときに、ほぼ同時に各々の座席のＩＤカードリーダ５０に各々のＩＤカードを挿入することにより、ＡさんとＢさんが一緒に来店したことがＣＰＵ４４に自動的に認識される（グループ情報が設定される）。
【００３３】
なお、店舗でＩＤカードを交付しない場合等には、利用者を画像表示テーブル１２に案内した際に、店員がＰＯＳレジ（店内システム１６）を操作して手動でグループ情報を設定することとしてもよい。
【００３４】
また、各利用者間が各専有領域間で画像のやりとりを行う許可（共有許可）の設定ができるようにして、この共有許可の設定からグループ情報を設定することとしてもよい。
【００３５】
そして、利用者がメディアリーダ／ライタ６０に記録メディアを挿入すると、記録メディアに記録されている画像データが読み取られ、専有領域に読み取られた画像データが一覧表示される。
【００３６】
図５は、画像の一覧表示を示す平面図である。図５において、ブラウザ８０には画像のアイコン８２が一覧表示されている。利用者はスクロールバー８４等を操作して表示したい画像をブラウザ８０に表示させる。次に、表示したい画像８２にタッチすると、アイコン８２が選択状態になる（例えば、枠の色等が変化する）。そして、順次表示したいアイコン８２を選択していき、確定ボタン８６にタッチするとブラウザ８０が消え、選択した画像が表示される。なお、確定ボタン８６にタッチする前に、取り消しボタン８８にタッチすると、直前に選択した画像の選択状態が解除される。また、ブラウザ８０の外にアイコン８２をドラッグすることによっても画像を選択することが可能である。
【００３７】
そして、各利用者は自分の専有領域を操作することにより、各々の専有領域内で画像の移動、拡大／縮小、プリント指示、セーブ／消去又は動画再生等を行うことができる。音声付の画像の場合にはジャック６２（図３参照）を利用して音声を聞くこともできる。また、各利用者は、操作部３８（タッチパネル）を操作して、画像への書き込み、画像の色合い等の調整、画像とフレームやテンプレート等との合成、シールやインデックスプリントの作成、ジャック６２からの音声入力等、さまざまな加工を施すことができる。また、画像を他の利用者に見せたい場合に、見せたい相手の利用者に向くように画像の天地を自動で制御することができる。
【００３８】
また、例えば、店内（例えば、画像表示テーブル１２上）にカメラ（定点カメラ）等を設置して、このカメラによって撮影された画像についても上述のような操作を行えるようにしてもよい。
【００３９】
ここで、画像の天地を制御する方法について説明する。図６は、本発明の一実施形態に係る画像の天地制御方法を示すフローチャートである。
【００４０】
まず、上述のように、画像の一覧表示（ステップＳ１０）から各利用者が操作したい画像を確定する（ステップＳ１２）。すると、ステップＳ１２で確定された画像のリスト（表示画像リスト）が生成され（ステップＳ１４）、各画像が自動的にレイアウトされて、各画像の表示位置の座標が確定される（ステップＳ１６）。
【００４１】
図７は、表示画像リストの例を示す図である。図７に示すように、表示画像リストには、画像の識別番号、画像の所有者、サイズ、天地方向、表示座標、拡縮（％）等が記録される。なお、この表示画像リストはメモリ４６に記録されており、利用者の操作に伴って更新される。
【００４２】
サイズは、画像の縦横の画素数やファイルのサイズ等の情報である。図７においては、サイズはＬサイズ、２Ｌサイズ、Ｅサイズ等、写真版のサイズと同様の表現に簡略化されている。
【００４３】
天地方向については、専有領域Ａの利用者（Ａさん）の方に向いている場合が「Ａ」、専有領域Ｂの利用者（Ｂさん）の方に向いている場合が「Ｂ」として示されている。
【００４４】
表示座標は、画像の表示されている位置を示しており、画像の中心点の座標で表されている。
【００４５】
また、拡縮（％）は、各専有領域に表示されている画像の面積を示すものであり、図７には相対的な数値（百分率）で示されている。
【００４６】
図６のフローチャートの説明に戻ると、次いでステップＳ１８に進み、ステップＳ１６の自動レイアウトに基づいて、専有領域３０に画像が表示される。そして、利用者が表示画像を移動させると（ステップＳ２０）、移動された画像の天地が変更される（ステップＳ２２）。
【００４７】
図８は、画像表示制御テーブル１２に利用者が２人着席した例を示す平面図である。図８に示すように、画像表示制御テーブル１２の専有領域Ａ、Ｂは略半円状である。専有領域Ａ及びＢにはそれぞれ利用者ＡさんとＢさんが着席している。画像表示制御テーブル１２には画像Ｐ１〜Ｐ５が表示されており、各画像内の「上」で天地の向きが示されている。
【００４８】
図７に示すように、画像Ｐ１〜Ｐ３の所有者はＡさんであり、画像Ｐ４及びＰ５の所有者はＢさんである。図８に示すように、Ａさんが画像Ｐ３を専有領域ＡとＢの境界に触れるＰ３’の位置まで移動させると、自動的に画像が１８０度回転される。また、図７において、画像Ｐ３の天地方向がＡからＢに更新される。これにより、Ｂさんに見やすい天地方向で画像が表示される。
【００４９】
なお、天地方向の自動制御において、画像の回転角度は利用者の人数や配置に応じて異なる。図９は、画像表示制御テーブル１２に利用者が３人着席した例を示す平面図である。図９に示すように、画像表示制御テーブル１２の専有領域Ａ、Ｂ及びＣは中心角が約１２０度の略扇形状である。専有領域Ａ、Ｂ及びＣにはそれぞれ利用者Ａさん、Ｂさん及びＣさんが着席している。
【００５０】
図９に示すように、Ｂさんが画像Ｐ１０を専有領域ＡとＢの境界に触れるＰ１０’の位置まで移動させると、自動的に画像が１２０度回転される。これにより、Ａさんに見やすい天地方向で画像が表示される。
【００５１】
図１０は、画像表示制御テーブル１２に利用者が４人着席した例を示す平面図である。図１０に示すように、画像表示制御テーブル１２の専有領域Ａ、Ｂ、Ｃ及びＤは中心角が約９０度の略扇形状である。専有領域Ａ、Ｂ、Ｃ及びＤにはそれぞれ利用者Ａさん、Ｂさん、Ｃさん及びＤさんが着席している。
【００５２】
図１０に示すように、Ｄさんが画像Ｐ１２を専有領域ＤとＡの境界に触れるＰ１２’の位置まで移動させると、自動的に画像が９０度回転される。これにより、Ａさんに見やすい天地方向で画像が表示される。
【００５３】
なお、本実施形態においては、画像の天地方向が段階的に変更されるようにしてもよい。図１１は、画像の天地制御を説明するための図である。図１１（ａ）に示すように、Ｂさんが画像Ｐ２０を専有領域ＡとＢの境界に触れるＰ２０’の位置まで移動させると、自動的に画像の天地方向と境界とが平行となるように画像が回転される。これにより、ＡさんとＢさんの両方が見ることのできる天地方向で画像が表示される。
【００５４】
そして、図１１（ｂ）に示すように、Ｂさんが画像を更に専有領域Ａ側に移動させると、画像がＰ２０”のようにＡさんに向くように回転される。
【００５５】
また、画像を移動させるだけで天地方向の変更が行われるようにしてもよい。例えば、利用者が画像を他の専有領域の方に移動させると、ＣＰＵ４４により画像の移動方向が検知される。そして、画像の移動方向にある専有領域に利用者が着席している場合に、移動された画像が他の専有領域の利用者に向くように回転される。なお、専有領域に利用者が着席しているかどうかを認識する方法としては、例えば、既述のＩＤカードによってもよいし、画像表示制御テーブル１２や座席等にセンサを設けて利用者の着席を認識するようにしてもよい。
【００５６】
また、上記のような画像の天地の自動制御は、他人同士が相席になった場合には、上述のグループ情報により同一のグループに属する利用者の専有領域間だけで行われるようにすることが好ましい。
【００５７】
画像表示制御テーブル１２の利用方法の説明に戻ると、各利用者は、共有領域Ｘに画像を移動させるか、又は画像を選択して立面ディスプレイへの送信ボタンをタッチする操作により、立面ディスプレイ３２に自分の所望の画像を表示させることができる。これにより、画像表示制御テーブル１２をグループで利用する場合に、各利用者が自分の画像を立面ディスプレイ３２に表示させて、グループで画像の表示及び編集（例えば、アルバム編集やお互いの画像の合成等）を行うことができる。例えば、立面ディスプレイ３２に各利用者の画像が表示され、共有領域Ｘ又は立面ディスプレイ３２に設けられたアルバム編集ボタンが押されると、自動レイアウトによりアルバム編集が行われる。これにより、グループで一緒にアルバムづくりを楽しむことができる。また、立面ディスプレイ３２をタッチパネルとして、各利用者が直接操作できるようにしてもよい。
【００５８】
また、各利用者はダイヤル３６を操作することにより、自分の専有領域に他の利用者の専有領域の状況を表示させることができる。例えば、利用者がダイヤル３６を回すと、ダイヤル３６の回転に伴って、あたかも中華回転テーブルのように他の利用者の専有領域の表示が順繰りに表示され、他の利用者の専有領域の状況を閲覧することができる。なお、本実施形態においては、テーブル１２の側面にダイヤル３６を設けたが、表示部３０のタッチパネル上にダイヤルや矢印状の表示を設けてもよい。
【００５９】
ここで、他人同士が相席になった場合には、ダイヤル３６を使用不可としてもよいし、ダイヤル３６によって利用者が閲覧できる専有領域を上述のグループ情報により同一のグループに属する利用者の専有領域に限定してもよい。
【００６０】
図１に示すプリンタ１４には、通常の印刷用紙のほか、ラメ加工やシール加工等が施された用紙が搭載されており、各利用者は所望の用紙を選択して印刷することができる。なお、プリンタ１４は、店舗に１台だけであってもよいし、テーブル１２ごとに１台ずつ設置されていてもよい。また、各利用者は操作の終わった画像データを入出力部３４で記録メディアやデジタルカメラ等に書き込んで持ち帰ることもできる。
【００６１】
また、図１等に示す画像表示制御テーブル１２は円卓であるが、本発明はこれに限定されるものではなく、多角形等のテーブルであってもよい。なお、この場合、専有領域及び共有領域の形状は、テーブルの形状や席数に応じて異なった形状となる。
【図面の簡単な説明】
【００６２】
【図１】画像表示制御システムを示すブロック図
【図２】本発明の一実施形態に係る画像表示制御テーブルを示す斜視図
【図３】入出力部３４を拡大して示す斜視図
【図４】本発明の一実施形態に係る画像表示制御テーブルの構成を示すブロック図
【図５】画像の一覧表示を示す平面図
【図６】本発明の一実施形態に係る画像の天地制御方法を示すフローチャート
【図７】表示画像リストの例を示す図
【図８】画像表示制御テーブル１２に利用者が２人着席した例を示す平面図
【図９】画像表示制御テーブル１２に利用者が３人着席した例を示す平面図
【図１０】画像表示制御テーブル１２に利用者が４人着席した例を示す平面図
【図１１】画像の天地制御を説明するための図
【符号の説明】
【００６３】
１０…画像表示制御システム、１２…画像表示制御テーブル、１４…プリンタ、１６…店内システム、１８…サーバ、３０…表示部、３２…立面ディスプレイ、３４…入出力部、３６…ダイヤル、３８…操作部、４４…ＣＰＵ、４６…メモリ、４８…通信Ｉ／Ｆ、５０…ＩＤカードリーダ
【図１】
2005346353.tif 000003
【図２】
2005346353.tif 000004
【図３】
2005346353.tif 000005
【図４】
2005346353.tif 000006
【図５】
2005346353.tif 000007
【図６】
2005346353.tif 000008
【図７】
2005346353.tif 000009
【図８】
2005346353.tif 000010
【図９】
2005346353.tif 000011
【図１０】
2005346353.tif 000012
【図１１】
2005346353.tif 000013